(57)【要約】【課題】釣り餌を着水後暫くまで釣り針からの脱落や雑魚による餌取から保護出来る様に仕掛けを改善することを課題とする。【解決手段】本発明の仕掛けは、特許４７３０８５５号を補完するもので有り、同様に補強のための芯材を持つ布状又はフイルム状の軟質素材で出来た本体１１、又は芯材を必要としない強度を持つ材料でできた表裏に釣り針や餌を納める凹部１４ｕを持つ本体１１ｎをまるめて縦長の筒状にして用いるか、或いは片面にのみ釣り針や餌を納める凹部１４ｕを持つ本体１１ｎを上下２分割し、分割部分に設けた回転軸を中心に折り畳んで、それを一時的に施錠することで、着水後暫くまでその内側に釣り針２１と釣り餌を包み込み、餌の脱落や雑魚による餌取りを防ぐ構造とすることにより問題点を解決している。【選択図】                図１ａ
2013031396.tif 000002
【特許請求の範囲】
【請求項１】
釣り用仕掛け全体で着水後暫くまでその内側に釣り針と釣り餌を包み込み、餌の脱落や雑魚による餌取を防ぐ為に一時的に施錠する構造を特徴とする釣り用仕掛けであり、芯材を必要としない強度を持つ材料でできた本体の一面或いは両面にハリスや釣り針を納めるための凹部と複数のハリス留めとを、芯材を必要としない強度を持つ材料でできた本体の一面の左右どちらかの側に、或いは両面のそれぞれの左側に或いはそれぞれの右側に持ち、かつ芯材を必要としない強度を持つ材料でできた本体に時限ロックを設けた釣り用仕掛け。
尚、この投げ釣り等で使う釣り用仕掛け本体において、前記時限ロックは、丸めた布状又はフイルム状の仕掛け本体を着水後暫くまで広がらないように纏めておく時限解除機能のあるロックであって、着水後、閂構造のロックを固定している閂となる水溶性ボルトが時間をかけて徐々に溶けて解錠される構造のロック、或いは釣り竿での投入動作による張力によって閂となるボルトを施錠しているピンを外し、閂となるボルトにより押しつぶされていた粘弾性体が元の形に戻る事により閂となるボルトが時間をかけて徐々に押し戻されて、閂となるボルトが抜ける事により解錠されるロックであることを特徴とする。
【請求項２】
請求項１と同じように、釣り用仕掛け全体で着水後暫くまでその内側に釣り針と釣り餌を包み込み、餌の脱落や雑魚による餌取を防ぐ為に一時的に施錠する構造を特徴とする釣り用仕掛けであり、請求項１に記載の釣り用仕掛けにおいて、ハリスや釣り針を納めるための凹部を片面にのみ設けた芯材を必要としない強度を持つ材料でできた本体を上下に２分割して、分割部分に折り畳むための回転軸を設け二つ折りにして、更に請求項１に記載のロック装置の代わりに、道糸との接続部分に設けた突起部分を包み込む様な爪により、本体を折り畳んだ状態に維持する新たなロック装置を設けた本体であって、道糸を引っ張ることにより本体上部に起こる水の抵抗により道糸との接続部分に設けた突起部分を挟み込むでいる本体の下部分に設けたロック装置の爪が広がるように変形して、道糸との接続部分に設けた突起部分を解放する事で、本体の下部分が分割部分を折り畳むための回転軸を中心に展開する構造の釣り用仕掛けであり、仕掛け外側に海草の様なフイルムを付けることで海草に似せる事の出来る擬似海草仕掛けとする事もできる釣り用仕掛け。
【発明の詳細な説明】
【技術分野】
【０００１】
本発明は、釣り用仕掛けに関するものである。
【背景技術】
【０００２】
従来、投げ釣りや磯釣りにおいては、柔らかい釣り餌が投げ始めや空中飛行中及び水面突入時において釣り針から脱落することがある為に、脱落し難い限定された釣り餌を使用せざるを得ず、かつ水面からの降下途中で雑魚に釣り餌を取られることも多いのが現状である。
【先行技術文献】
【特許文献】
【０００３】
【特許文献１】特許第４７３０８５５号
【発明の概要】
【発明が解決しようとする課題】
【０００４】
釣り餌を着水後暫くまで釣り針からの脱落や雑魚による餌取から保護出来る様に仕掛けを改善することを課題とする。
【課題を解決するための手段】
【０００５】
本発明の仕掛けは補強のための芯材を持つ布状又はフイルム状の軟質素材で出来た本体１１、又は芯材を必要としない強度を持つ材料でできた表裏に釣り針や餌を納める凹部１４ｕを持つ本体１１ｎをまるめて縦長の筒状にして用いるか、或いは片面にのみ釣り針や餌を納める凹部１４ｕを持つ本体１１ｎを上下２分割し、分割部分に設けた回転軸を中心に折り畳んで、それを一時的に施錠することで、着水後暫くまでその内側に釣り針２１と釣り餌を包み込み、餌の脱落や雑魚による餌取りを防ぐ構造とすることにより、問題点を解決している。
【発明の効果】
【０００６】
本発明によれば、釣り餌を着水後暫くまで釣り針からの脱落や雑魚による餌取から保護出来る仕掛けとなり、更に幹糸を隠そうと透明化したり目立たぬ色にしたり極力細くしたりするのではなく、仕掛け全体を海中浮遊物や海草等に模すことで、その近傍や陰に釣り餌が漂う様な、より自然に近い状況を作り出すことが出来て、新たな釣法として有用である。
【図面の簡単な説明】
【０００７】
【図１ａ】水溶性ボルト使用の直列配置の本体構成図
【図１ｂ】時限ボルト使用の直列配置の本体構成図
【図２ａ】水底に分岐して立つ状態の本体構成図
【図２ｂ】海草に模した水底に分岐して立つ状態の本体構成図
【図２ｃ】水底に分岐して横たわる状態の本体構成図
【図２ｄ】水面に分岐して浮く状態の本体構成図
【図３ａ】直列配置での本体の飛行中の状態
【図３ｂ】分岐配置での本体の飛行中の状態
【図３ｃ】分岐配置での海草に模した本体の飛行中の状態
【図４ａ】本体に釣り針や釣り餌を包み込んだ状態の断面図
【図４ｂ】海草等に模した本体に釣り針や釣り餌を包み込んだ状態の断面図
【図５】水溶解性ピンとロック
【図６ａ】時限ロック装置分解図
【図６ｂ】時限ロック装置施錠状態図
【図６ｃ】時限ロック装置解錠状態図
【図７】ハリス留め
【図８】樹状の補強用芯材を用いない本体の展開状態図
【図９】樹状の補強用芯材を用いず、ハリスや釣り針を納めるための凹部を持つ、水溶性ボルトを使用する本体の展開状態図と断面図
【図１０】樹状の補強用芯材を用いず、ハリスや釣り針を納めるための凹部を持つ、時限ロック装置を使用する本体の展開状態図と断面図
【図１１】上下２分割型で展開用の溝を１本有する本体の折り畳んだ状態での図
【図１２】上下２分割型で展開用の溝を２本有する本体の折り畳んだ状態での図
【図１３】上下２分割型で展開用の本体を展開した場合で、海草に模したフィルムを付加した状態での図
【発明を実施するための形態】
【０００８】
まず使用に当たって、布状又はフイルム状の軟質素材で出来た本体１１に複数のハリス２２を留める場合、ハリス２２と釣り餌の付いた釣り針２１は本体内部の幹糸の代わりとなり強度を高める為に用いる幹糸の代わりとなる樹状の芯材１５に固定された本体表面の本体を補強しロックに繋がる芯材に付けられたハリス留め１４に留める。ただし図においては釣り餌を表示していない。尚、ハリスの数が少ない場合や強度をあまり必要としない場合は幹糸の代わりとなる樹状の芯材１５は樹状でなくても良く、かつ布状又はフイルム状の軟質素材で出来た本体１１のみで幹糸の代わりとなる樹状の芯材１５そのものが無くても良い。更には、本体は芯材を必要としない強度を持つ材料でできた、表裏或いはどちらか一方に釣り針や餌を納める凹部１４ｕを持つ本体１１ｎとしても良い。
【０００９】
次に着水後暫くまでハリス２２と釣り餌の付いた釣り針２１を包み込む状態を維持するために、本体１１または１１ｎまたは１２を図４ａまたは図４ｂに見る様にまるめ、或いは折り畳み、本体１１または１１ｎまたは１２を錠の様な留め具や閉鎖用フック部を留めるための突起５０ｙ及び閉鎖用フック部５０ｚを設けて施錠するものとする。
【００１０】
また、図２ｂの様に、本体１１または１１ｎの更に外側にも布状又はフイルム状の軟質素材を広げて出来る海草等に模した本体１２を巻止める場合は、一番外側のフィルム状軟質素材を図４ｂの様に釣り餌付きの釣り針２１と共に内側に巻き込んでから施錠しても良い。ただし図には釣り餌を表示していない。
【００１１】
本発明の仕掛けを巻いて、或いは折り畳んで施錠した後に釣り竿で投げると図３ａから図３ｃに見るような状態で空中を飛行後に着水して水没するとロックが解錠され、本体を補強しロックに繋がる芯材を展開させる為の弾性を有する芯材１３ｂにより図１ａから図２ｄの様に展開するか、道糸を引くことによる本体の展開の為の水圧を受ける部分５０ｗへの水による抵抗により閉鎖用フック部５０ｚを広げて閉鎖用フック部を留めるための突起５０ｙから解放する事で本体１１ｎを展開させる事で餌の脱落や雑魚による餌取を防ぐ釣りができる。
【実施例１】
【００１２】
図１−１や図１−２と図２に見るように、この仕掛けには縦長の布状又はフイルム状の本体の長手方向の中心線上の内部に十分な引っ張り強度を持つ芯材で作られる幹糸部分を作り、この幹糸部分から更に、通常の仕掛けのハリスのように、幹糸部分と同じか同様な芯材で作られる枝糸部分を作ることで幹糸の代わりとなる樹状の芯材１５として、その先端の本体を補強しロックに繋がる芯材１３ａにハリス留めを設ける。
【００１３】
このハリス留めは、布状又はフイルム状の本体の長手方向の中心線の右側或いは左側のどちらかに縦一列に本体を補強しロックに繋がる芯材の上に並ぶように、フイルム状の本体の表と裏に設ける。
【００１４】
また、この仕掛け全体を巻止めるためのロックのストライク相当部品３６ｐ及びストライクボックス相当部品３６ｑは布状又はフイルム状の本体の長手方向の中心線と平行にハリス留めの位置に設けた本体を補強しロックに繋がる芯材１３ａの上に1つ以上設ける。
【００１５】
更に、ロックのフロント相当部品３６ｎは先の中心線と平行にハリス留めの位置に設けた本体を補強しロックに繋がる芯材１３ａの更に外側に設けた本体を補強しロックに繋がる芯材１３ａの上に先のロックのストライク相当部品３６ｐ及びストライクボックス相当部品３６ｑと対応する位置に設ける。
【００１６】
即ち、縦に間を空けて並ぶ２つの環であるロックのストライク相当部品３６ｐとロックのストライクボックス相当部品３６ｑの間に別の１つの環であるロックのフロント相当部品３６ｎを挿入してなる構造のロックとなる。
【００１７】
そして、そのロックの中心の穴にロックを固定する為の図５に見るような水溶性素材でできたボルト３６ｋを挿入してロックを施錠する構造とする。
【００１８】
尚、図２に見るように、本体を海草等に模したものにおいては最も外側に設けた本体を補強しロックに繋がる芯材１３ａの更に外側に布状又はフイルム状の軟質素材で出来た海草等に模した本体１２を延長拡大する部分を設けて海草等に模した形状とする。
【００１９】
布状又はフイルム状の本体を巻くには左右部分毎に釣り針を、海草などに模した場合はその最も外側の部分も内側に巻き込むようにして施錠する。
【００２０】
巻き込んだらロックに水溶性ピンを刺してロックを施錠することで釣り用仕掛けの投入準備が完了する。
【００２１】
釣り用仕掛けを水中に投入すると、ロックの水溶性素材でできたボルト３６ｋが溶けてロックは解錠され図１ａから図２ｄの様に釣り用仕掛けが展開する。
【実施例２】
【００２２】
同様に、この釣り用仕掛けを、図１ｂに見るような道糸がこの釣り用仕掛けの上部に繋がり主たる重り２４ｃがこの釣り用仕掛けの下部に繋がる、直列配列にする場合は水溶性素材でできたボルト３６ｋを用いるロックの代わりに図６ａに見る様な時限ロック用粘弾性管４７を用いた時限ロック装置４０を用いる事が出来る。
【００２３】
この場合は、図６ｂの下向きの矢印の方向に時限ロックのスイッチボルト４６ｇを押し込み、時限ロックのボルト４６ｋを押し下げて時限ロック用粘弾性管４７が潰されることで時限ロックのストライク相当部品４８ｐと時限ロックのストライクボックス相当部品４８ｑの間に時限ロックのフロント相当部品４８ｎを固定して施錠する。
【００２４】
この時、本体を補強しロックに繋がる芯材１３ａは本体を補強しロックに繋がる芯材に繋いだ、時限ロックのスイッチボルト抜け防止ストッパ４７ｊと時限ロックのスイッチボルト環頭を本体を補強しロックに繋がる芯材に繋ぐ環状部品４８ｔとの間で撓んだ状態になる。
【００２５】
次に、図６ｃに見るように投入動作により幹糸の代わりとなる樹状の芯材１５に繋がる本体を補強しロックに繋がる芯材１３ａが引っ張られ、本体を補強しロックに繋がる芯材に繋ぐ環状部品４８ｔが時限ロックのスイッチボルト環頭４６ｈを上向きの矢印の方向に引き戻し、撓んだ状態の本体を補強しロックに繋がる芯材１３ａが伸びる事で時限ロック用粘弾性管４７が図６ｂの縮んだ状態から、着水後に釣り餌を守るに必要な時間をかけて伸びた元の状態に戻ることで、時限ロックのボルト４６ｋが押し戻され、本体を補強しロックに繋がる芯材を展開させる為の弾性を有する芯材１３ｂにより時限ロックのストライク相当部品４８ｐと時限ロックのストライクボックス相当部品４８ｑの間から、図中の横向きの矢印の方向に時限ロックのフロント相当部品４８ｎが離れてロックが解錠され、図１ａから図２ｄの様に釣り用仕掛けが展開する。
【実施例３】
【００２６】
実施例１及び実施例２の構造に於いて、図８に見るように本体１１に十分な引っ張り強度がある場合は芯材１３ａを必要としなくとも良く、図９の時限ロック用粘弾性管４７を用いた時限ロック装置４０を用いる場合や図１０の水溶性素材でできたボルト３６ｋを用いる場合に見るように、本体１１ｎの一面或いは両面に芯材を必要としない強度を持つ材料でできた本体に設けたハリスや釣り針を納めるための凹部１４ｕを設け、この凹部に蓋をする構造とする。
【００２７】
尚、図９の時限ロック用粘弾性管４７を用いた時限ロック装置４０を用いる場合は、図１ｂの場合と異なり時限ロックのスイッチボルト環頭４６ｈは時限ロックのスイッチボルトを引いて解錠するための糸２３ｇにより道糸と連結される。
【実施例４】
【００２８】
また、縦長に巻く形態ではロック装置が複雑になり易いので、図１１から図１３に見るように上下に分割し二つ折りにする形態で、道糸を引っ張ることによる水の抵抗による水圧、この釣り用仕掛けを折り畳んだ状態での上部の展開の為の水圧を受ける部分５０ｗにかかる水圧、を利用して展開させる方法を用いる。
【００２９】
この場合、二つ折り型の釣り用仕掛け上部の閉鎖用フック部を留めるための突起５０ｙを包み込むように設けられた閉鎖用フック部５０ｚは水中に於いて道糸を引っ張ることで展開の為の水圧を受ける部分５０ｗに水圧を受け閉鎖用フック部を広げ本体を展開し易くする為の溝５０ｘを中心に曲げられることで閉鎖用フック部を留めるための突起５０ｙから外されます。
【産業上の利用可能性】
【００３０】
以上説明した様に、本発明は釣り餌を着水後暫くまで釣り針からの脱落や雑魚による餌取から保護出来る釣り用仕掛けとして有用である。
【符号の説明】
【００３１】
１１    布状又はフイルム状の軟質素材で出来た本体
１１ｎ    芯材を必要としない強度を持つ材料でできた本体。或いはハリスや釣り針を納めるための凹部を設けた芯材を必要としない強度を持つ材料でできた本体
１２    布状又はフイルム状の軟質素材で出来た海草等に模した本体
１２ｎ    芯材を必要としない強度を持つ材料でできた本体に付け、時限ロックのフロント相当部品４８ｎを設けたフィルム
１３ａ    本体を補強しロックに繋がる芯材
１３ｂ    本体を補強しロックに繋がる芯材を展開させる為の弾性を有する芯材
１４    本体を補強しロックに繋がる芯材に付けられたハリス留め
１４ｕ    芯材を必要としない強度を持つ材料でできた本体に設けたハリスや釣り針を納めるための凹部
１４ｖ    芯材を必要としない強度を持つ材料でできた本体に設けたハリス留め
１５    幹糸の代わりとなる樹状の芯材
２１    釣り針
２２    ハリス
２３    道糸
２３ｇ    時限ロックのスイッチボルトを引いて解錠するための糸
２３ｈ    ２３ｇを通す為の環
２４ｃ    主たる重り
２４ｄ    小型の補助的重り
２４ｅ    主たる浮き
２４ｆ    小型の補助的浮き
２５    水面
３６ｋ    ロックの水溶性素材でできたボルト
３６ｎ    ３６ｐと３６ｑのストライク相当部品とストライクボックス相当部品の間に差し入れる形で使用する１つの環でなるロックのフロント相当部品
３６ｐ    縦に間を空けて並ぶ２つの環でなるロックのストライク相当部品
３６ｑ    縦に間を空けて並ぶ２つの環でなるロックのストライクボックス相当部品
４０    時限ロック装置
４６ｇ    時限ロックのスイッチボルト
４６ｈ    時限ロックのスイッチボルト環頭
４６ｉ    時限ロックの時限起動用スイッチボルトストッパ
４６ｊ    時限ロックのスイッチボルト抜け防止兼粘弾性管用ストッパ
４６ｋ    時限ロックのボルト
４６ｍ    時限ロックのボルトストッパ
４７    時限ロック用粘弾性管
４７ｉ    本体を補強しロックに繋がる芯材に繋いだ、時限ロックの時限起動用スイッチボルトストッパのケース
４７ｊ    本体を補強しロックに繋がる芯材に繋いだ、時限ロックのスイッチボルト抜け防止ストッパ
４８ｎ    時限ロックのフロント相当部品
４８ｐ    時限ロックのストライク相当部品
４８ｑ    時限ロックのストライクボックス相当部品
４８ｒ    時限ロックのスイッチボルト受け管形部品
４８ｓ    時限ロックのスイッチボルト抜け防止管形部品
４８ｔ    時限ロックのスイッチボルト環頭を本体を補強しロックに繋がる芯材に繋ぐ環状部品
４９    回転式接続部
５０ｗ    展開の為の水圧を受ける部分
５０ｘ    閉鎖用フック部を広げ本体を展開し易くする為の溝
５０ｙ    閉鎖用フック部を留めるための突起
５０ｚ    閉鎖用フック部
【図１ａ】
2013031396.tif 000003
【図１ｂ】
2013031396.tif 000004
【図２ａ】
2013031396.tif 000005
【図２ｂ】
2013031396.tif 000006
【図２ｃ】
2013031396.tif 000007
【図２ｄ】
2013031396.tif 000008
【図３ａ】
2013031396.tif 000009
【図３ｂ】
2013031396.tif 000010
【図３ｃ】
2013031396.tif 000011
【図４ａ】
2013031396.tif 000012
【図４ｂ】
2013031396.tif 000013
【図５】
2013031396.tif 000014
【図６ａ】
2013031396.tif 000015
【図６ｂ】
2013031396.tif 000016
【図６ｃ】
2013031396.tif 000017
【図７】
2013031396.tif 000018
【図８】
2013031396.tif 000019
【図９】
2013031396.tif 000020
【図１０】
2013031396.tif 000021
【図１１】
2013031396.tif 000022
【図１２】
2013031396.tif 000023
【図１３】
2013031396.tif 000024
【手続補正書】
【提出日】平成23年10月6日(2011.10.6)
【手続補正２】
【補正対象書類名】特許請求の範囲
【補正対象項目名】全文
【補正方法】変更
【補正の内容】
【特許請求の範囲】
【請求項１】
釣り用仕掛け全体で着水後暫くまでその内側に釣り針と釣り餌を包み込み、餌の脱落や雑魚による餌取を防ぐ為に一時的に施錠する構造を特徴とする釣り用仕掛けであり、芯材を必要としない強度を持つ材料でできた本体の一面或いは両面にハリスや釣り針を納めるための凹部と複数のハリス留めとを、芯材を必要としない強度を持つ材料でできた本体の一面の左右どちらかの側に、或いは両面のそれぞれの左側に或いはそれぞれの右側に持ち、かつ芯材を必要としない強度を持つ材料でできた本体に時限ロックを設けた釣り用仕掛けにおいて、前記時限ロックは、芯材を必要としない強度を持つ材料でできた本体を着水後暫くまで広がらないように纏めておく時限解除機能のあるロックであって、着水後、閂構造のロックを固定している閂となる水溶性ボルトが時間をかけて徐々に溶けて解錠される構造のロック、或いは釣り竿での投入動作による張力によって閂となるボルトを施錠しているピンを外し、閂となるボルトにより押しつぶされていた粘弾性体が元の形に戻る事により閂となるボルトが時間をかけて徐々に押し戻されて、閂となるボルトが抜ける事により解錠されるロックであることを特徴とする釣り用仕掛け。
【請求項２】
請求項１に記載の釣り用仕掛けにおいて、ハリスや釣り針を納めるための凹部を片面にのみ設けた芯材を必要としない強度を持つ材料でできた本体を上下に２分割して、分割部分に折り畳むための回転軸を設け二つ折りにして、前記時限ロックの代わりに、道糸との接続部分に設けた突起部分を包み込む様な爪により、本体を折り畳んだ状態に維持する新たなロック装置を設けた本体であって、道糸を引っ張ることにより本体上部に起こる水の抵抗により道糸との接続部分に設けた突起部分を挟み込んでいる本体の下部分に設けたロック装置の爪が広がるように変形して、道糸との接続部分に設けた突起部分を解放する事で、本体の下部分が分割部分を折り畳むための回転軸を中心に展開する構造の釣り用仕掛けであり、仕掛け外側にフイルムを付けることで海草に似せる事の出来る擬似海草仕掛けとする事もできる釣り用仕掛け。